(57)【要約】      （修正有）【課題】様々な厚さのカードに対応できるメモリカードコネクタを提供する。【解決手段】メモリカードコネクタが絶縁ハウジング３８を有し、該ハウジングは、端子取り付けベース３８ａと該ベースの両側から前方に延在する一対の側壁部３８ｂ，３８ｃとを備えている。カード位置決めプレート４８が、その両側においてハウジングの側壁部に枢支され、該側壁部とともに該プレートの下側にカード収容空間を画定する。プレートを枢動可能に取り付けることにより、異なる厚さのメモリカードがカード収容空間に差し込まれることに対応できる。【選択図】図２
2005044784.tif 000002
【特許請求の範囲】
【請求項１】
メモリカードコネクタ（３６）であって、
端子取り付けベース（３８ａ）と該ベースの両側から前方に延在する一対の側壁部（３８ｂ、３８ｃ）とを備える絶縁ハウジング（３８）と、
カード位置決めプレート（４８）であって、その両側においてハウジングの側壁部に枢支され、ハウジングとともにプレートの下側にカード収容空間（４６）を画定するカード位置決めプレート（４８）とを有し、
該プレートの枢支（４８ａ、５０）により、異なる厚さのメモリカードの前記カード収容空間への挿入に対応するメモリカードコネクタ（３６）。
【請求項２】
カード位置決めプレート（４８）の両側部とハウジング（３８）の側壁部（３８ｂ、３８ｃ）との間における相補的に相互係合する枢支手段（４８ａ、５０）を含む、請求項１に記載のメモリカードコネクタ。
【請求項３】
前記枢支手段は、カード位置決めプレート（４８）の両側から、ハウジング（３８）の側壁部（３８ｂ、３８ｃ）の一対の枢支ノッチ（５０）内に突出する一対の枢支ポスト（４８ａ）を含む、請求項２に記載のメモリカードコネクタ。
【請求項４】
前記枢支ノッチ（５０）は、カード位置決めプレート（４８）を横断する方向に延在し、これにより、前記プレートは、ハウジング（３８）の側壁部（３８ｂ、３８ｃ）に対して枢動するだけでなく、全体的に前記横断する方向に移動して異なる厚さのメモリカードに対応する、請求項３に記載のメモリカードコネクタ。
【請求項５】
前記カード位置決めプレート（４８）は、ハウジングの側壁部間に枢支されている前側部分（７６）と、前側部分に枢支されている後側部分（７８）とを含む２部構造である、請求項１に記載のメモリカードコネクタ。
【請求項６】
カード位置決めプレート（４８）の前側部分（７６）の両側部とハウジング（３８）の側壁部（３８ｂ、３８ｃ）の間において、これらの間に第１の枢軸を画定する第１の相補的係合枢支手段（４８ａ、５０）と、カード位置決めプレート（４８）の前側部分（７６）と後側部分（７８）の間において、これらの間に前記第１の枢軸と略平行な第２の枢軸を画定する第２の相補的係合枢支手段（７６ａ、７８ａ）とを含む、請求項５に記載のメモリカードコネクタ。
【請求項７】
前記第２の枢軸が、第１の枢軸の直後に配置されている、請求項６に記載のメモリカードコネクタ。
【請求項８】
前記第１の枢支手段は、カード位置決めプレート（４８）の両側からハウジング（３８）の側壁部（３８ｂ、３８ｃ）の一対の枢支ノッチ（５０）内に突出する一対の枢支ポスト（４８ａ）を含む、請求項６に記載のメモリカードコネクタ。
【請求項９】
前記枢支ノッチ（５０）は、カード位置決めプレート（４８）を横断する方向に延在し、これにより、前記プレート（４８）は、ハウジング（３８）の側壁部（３８ｂ、３８ｃ）に対して枢動するだけでなく、全体的に前記横断する方向に移動して異なる厚さのメモリカードに対応する、請求項８に記載のメモリカードコネクタ。
【請求項１０】
カード位置決めプレート（４８）を覆うようにハウジング（３８）にカバー（５８）が取り付けられており、該カバーは、プレートに係合して下方に付勢するための付勢手段（５８ｄ）を備え、これにより、挿入されたメモリカードにプレートを係合させる、請求項１に記載のメモリカードコネクタ。
【請求項１１】
カバー（５８）の付勢手段は、カード位置決めプレート（４８）がハウジング（３８）の側壁部（３８ｂ、３８ｃ）に枢支（４８ａ、５０）されている位置よりも前方において前記プレートと係合する、請求項１０に記載のメモリカードコネクタ。
【請求項１２】
前記カバー（５８）は、シートメタル材料から打ち抜き成形され、カバーの頂部プレート（５８ａ）から打ち抜き成形により形成されたカード位置決めプレートと係合するための付勢フランジ（５８ｄ）を含む、請求項１１に記載のメモリカードコネクタ。
【発明の詳細な説明】
【技術分野】
【０００１】
本発明は、一般に電気コネクタの技術分野に関し、詳細には、異なる厚さのカードがコネクタへ挿入されることに対応できるカード位置決めプレートを有するメモリカードコネクタに関する。
【背景技術】
【０００２】
メモリカードは、当技術分野で知られており、情報をメモリ回路又は他の電子プログラムの形で含む。幾つかの形式のカード読み取り装置により、カード上に記憶された情報又は記憶を読み取る。そのようなカードは、今日の電子社会において、ビデオカメラ、デジタルスチルカメラ、スマートフォン、ＰＤＡ、音楽プレーヤ、ＡＴＭ、ケーブルテレビデコーダ、玩（がん）具、ゲーム機、ＰＣアダプタ、マルチメディアカード、及び、他の電子アプリケーション等の多くの用途に使用されている。一般に、メモリカードは、カードコネクタを介してカード読み取りシステム、次に、外部装置に接続するための接点又は端子のアレイを含む。コネクタは、カード上の情報及びプログラムに迅速にアクセスするために行われるカードの抜き差しに容易に対応する。カードコネクタは、メモリカードの接点アレイと柔軟に係合する端子を含む。
【０００３】
典型的なメモリカードコネクタは、金属シェルで覆われた、何らかの形態の絶縁ハウジングを有している。金属シェルはシートメタル材料から打ち抜き成形され、実質的に箱形状に成形される。金属シェルとハウジングを組み合わせることによってカード収容キャビティが画定される。キャビティの一端が開口してカード挿入口を形成している。絶縁ハウジングは、全体としてＬ字状又はＵ字状に形成されており、キャビティの後部に後方端子取り付け部を備えている。キャビティの一側又は両側において、後方端子取り付け部の一端あるいは両端から長手方向側壁部が前方に延在している。コネクタの接点、すなわち、端子が後方端子取り付け部に取り付けられている。金属シェルの頂部プレートは絶縁ハウジングを実質的に覆い、側部プレートが下方に延在してハウジングの側壁部を覆っている。金属シェルの側部プレート及び／又はハウジングの側壁部が、カード収容キャビティの側部を画定している。
【０００４】
メモリカードコネクタは、プリント回路基板の上面に実装される場合が多く、端子のはんだ付けテール部が、リフローはんだ付けプロセスによって基板の適切な回路トレースに接続される。コネクタは、ハウジングのカード収容キャビティからのメモリカードのエジェクタを容易にするために、何らかの形態のエジェクタ機構を有している場合が多い。多くの場合、エジェクタ機構は、Ｌ字状又はＵ字状のハウジングの一方の側壁部に取り付けられる。
【０００５】
図１は、従来技術による前述したようなメモリカードコネクタを示し、その全体が２６で示されている。このコネクタは、全体を２８で示す絶縁ハウジングを有しており、ハウジングは、後方端子取り付け部２８ａと、この後方端子取り付け部の両端から前方に延在する一対の側壁部２８ｂ、２８ｃとを備え、矢印「Ａ」の方向に差し込まれたメモリカードを収容するための収容空間３０を画定している。全体を３２で示す複数の導電端子がハウジング２８の後方端子取り付け部２８ａに取り付けられている。ハウジングはプリント回路基板に取り付けるように適合されており、端子は、プリント回路基板上の適切な回路トレースに電気的に接続するためのテール部３２ａを備えている。全体を３４で示すエジェクタ機構が側壁部２８ｃに取り付けられている。このエジェクタ機構は、収容空間３０からのメモリカードの排出を容易にするために、両頭矢印「Ｂ」の方向に往復動可能なエジェクタアーム３４ａを備えている。金属シールド、すなわち、カバー（図示せず）をハウジング２８の頂部を覆うように取り付けることもできる。カバーは、ハウジングの側壁部２８ｂと２８ｃとの間に亘（わた）って広がる頂部壁を備えている。したがって、カバーの頂部壁とハウジングの側壁部は、ハウジングの後方部２８ａとともに、プリント回路基板上方の収容空間３０に対応する、実質的に包囲されたカード収容キャビティを画定する。
【発明の開示】
【発明が解決しようとする課題】
【０００６】
図１の従来技術によるコネクタに関連して上に述べた従来のメモリカードコネクタは、特定のメモリカードの単一の種類、大きさ、厚さにのみ対応するように設計されている。したがって、カードの種類毎に異なるコネクタが必要となるため、在庫コストが非常に高くなる。本発明は、様々な厚さのカードに対応できるメモリカードコネクタを提供することにより、これらの問題点を解決することを目的とする。
【課題を解決するための手段】
【０００７】
したがって、本発明の目的は、上に述べた種類の新規で改善されたメモリカードコネクタを提供することである。
【０００８】
本発明の例示的な実施形態では、メモリカードコネクタは、端子取り付けベースと、このベースの両側から前方に延在する一対の側壁部とを備えた絶縁ハウジングを有している。カード位置決めプレートが、その両側においてハウジングの側壁部に枢動可能に取り付けられており、ハウジングとともに該プレートの下側にカード収容空間を画定している。プレートを枢動可能に取り付けることにより、異なる厚さのメモリカードがカード収容空間に差し込まれることに対応する。
【０００９】
本発明の一形態によると、相補的に相互係合する枢支手段が、カード位置決めプレートの両側部とハウジングの側壁部との間に設けられている。この枢支手段は、カード位置決めプレートの両側から突出する一対の枢支ポストを含み、この枢支ポストは、ハウジングの側壁部に形成された一対の枢支ノッチにそれぞれ係入する。
【００１０】
本発明の別の形態によると、枢支ポストを収容するためのノッチは、カード位置決めプレートを横断する方向に延びている。したがって、プレートは、ハウジングの側壁部に対して枢動するだけでなく、厚さが大きく異なるメモリカードに対応するように全体的に横断方向に移動する。
【００１１】
本発明の更に別の形態によると、カード位置決めプレートを覆うようにハウジングにカバーが取り付けられている。このカバーは、プレートに係合して下方に付勢する付勢手段を備え、これにより、挿入されたメモリカードにプレートを係合させる。付勢手段は、プレートが側壁部に枢支されている位置よりも前方においてプレートと係合する。好ましい実施形態においては、カバーは、シートメタル材料から打ち抜き成形され、カード位置決めプレートと係合するための付勢フランジが、カバーの頂部プレートから打ち抜き成形により形成されている。
【００１２】
本発明の更に別の形態によると、カード位置決めプレートは、ハウジングの側壁部間に枢支されている前側部分と、前側部分に枢支されている後側部分とから成る２部構造である。相補的に相互係合する第１の枢支手段が、プレートの前側部分の両側とハウジングの側壁部の間に設けられており、これらの間に第１の枢軸を画定している。相補的に相互係合する第２の枢支手段が、カード位置決めプレートの前側部分と後側部分の間に設けられており、これらの間に、かつ、第１の枢軸と略平行な第２の枢軸を画定している。第２の枢軸は、第１の枢軸のすぐ後ろに配置されている。
【００１３】
本発明のその他の目的、特徴及び利点は、添付図面と関連して行われる以下の詳細な記載から明らかになるであろう。
【００１４】
新規であると考えられる本発明の特徴は、添付の特許請求の範囲において詳細に記載されている。本発明は、その目的及び利点とともに、添付図面と関連して行われる以下の説明を参照することによって最もよく理解されるであろう。全図面に亘り、同一の参照符号は同一の要素を示す。
【発明を実施するための最良の形態】
【００１５】
図面をより詳細に参照して説明を行う。最初に図２〜４を参照すると、全体を３６（図４）で示すメモリカードコネクタの第１実施形態は、全体を３８で示す絶縁ハウジングを有している。このハウジングは、一対の側壁部３８ｂと３８ｃとの間に広がったベースプレート３８ａを備えている。ハウジングは絶縁性のプラスチック材料から成形されている。全体を４０で示す第１の導電端子群、全体を４２で示す第２の導電端子群、及び、全体を４４で示す第３の導電端子群はすべて、ハウジングのベースプレート３８ａ上に取り付けられ、３列を構成している。図２から明らかなように、これらの３群の端子は、ベースプレートを横切って直線状の列を構成するように配置されており、第１群４０がコネクタの後部に位置し、第３群４４がコネクタの前部に位置し、第２群４２が第１群と第３群の間で列を構成している。第１群の端子は複数の個別の端子４０ａを含み、第２群の端子は複数の個別の端子４２ａを含み、第３群の端子は複数の個別の端子４４ａを含む。すべての端子は，導電性のシートメタル材料から打ち抜き成形できる。
【００１６】
絶縁ハウジング３８は、ベースプレート３８ａの上側で、かつ、側壁部３８ｂと３８ｃとの間に、全体を４６で示すカード収容空間を画定している。端子４０ａは接触部４０ｂを備え、端子４２ａは接触部４２ｂを備え、端子４４ａは接触部４４ｂを備えている。これらの接触部はすべて、以下の説明から分かるように、異なる形式のメモリカード上の接点と係合するために、露出、すなわち、カード収容空間４６に向けて上方に曲げられている。
【００１７】
絶縁ハウジング３８は、プリント回路基板上に取り付けるように適合されている。端子４０ａはテール部４０ｃ（図３）を備え、端子４２ａはテール部４２ｃを備え、端子４４ａはテール部４４ｃを備えている。端子のテール部は、はんだ付け等によって、プリント回路基板上の適切な回路トレースに接続される。
【００１８】
引き続き図２〜４を参照すると、全体を４８で示すカード位置決めプレートは、プレートの両側縁から外方に突出する一対の枢支ポスト４８ａを備えている。この枢支ポストは、絶縁ハウジングの側壁部３８ｂと３８ｃとの一対の枢支ノッチ５０内に位置決めできる。これにより、位置決めプレートは、カード収容空間４６の上方に位置するようにハウジングに枢動可能に取り付けられる。すなわち、カード収容空間の下側はハウジングのベースプレート３８ａによって画定されるとともに、カード収容空間の上側は位置決めプレート４８によって画定され、これにより、メモリカードはベースプレートと位置決めプレートとの間に入るようにコネクタに差し込まれる。プレートの両側部、すなわち、縁に一対の案内レール５１が設けられている。図３から最も良く分かるように、位置決めプレートの下側には、第１のストッパ要素５４、一対の第２のストッパ要素５５、及び、第３のストッパ要素５６が設けられている。位置決めプレートのプレートはプラスチック材料から成形できる。
【００１９】
枢支ノッチ５０は垂直方向に延びている、すなわち、カード位置決めプレートを横断する方向に延びている。したがって、プレートは枢動できるだけでなく、全体的に横断方向に移動する。
【００２０】
以下の説明から分かるように、コネクタはエジェクタ機構を有し、カード位置決めプレート４８はエジェクタプレートとして機能する。これらの実施形態においては、第１のストッパ要素５４、第２のストッパ要素５５、及び、第３のストッパ要素５６のすべてが、異なる形式のメモリカードのエジェクタ要素となる。
【００２１】
引き続き図２〜４を参照すると、全体を５８で示す金属性のカバーは、頂部プレート５８ａと複数の下方に延びる側壁５８ｂを備えている。カバーはシートメタル材料から打ち抜き成形され、図４に示すように、カバーがハウジング３８上に位置決めされると遮蔽（へい）シェルを構成する。カバーの側壁には複数の係止開口部５８ｃが設けられており、ハウジングの側壁部３８ｂと３８ｃの外側から突出する複数の面取りした係止ボス５９と「スナップ」係合する。これにより、図４に示すように、カバーがハウジングに係止される。最後に、金属製の頂部カバーは、内側、すなわち、下側に曲げられたスプリング付勢フランジ５８ｄを備えており、このフランジ５８ｄは、カード位置決めプレート４８の上面に前縁４８ｂの近傍において付勢力によって係合する。すなわち、スプリング付勢フランジ５８ｄは、カード位置決めプレート４８の上面の前側部分と係合して、位置決めプレートの枢支ポスト４８ａを中心としてプレートを下方に枢動させる。これにより、メモリカードがカード収容空間４６に挿入されると、カードが下方に付勢され、カードの接点が押されて、端子群４０、４２又は４４の内の何れかと係合する。
【００２２】
枢支ノッチ５０内において枢支ポスト４８ａが枢動可能で、かつ、垂直方向に移動可能であるため、カード位置決めプレート４８がハウジング３８に対して枢動可能／移動可能に取り付けられ、このため、コネクタに異なる厚さのメモリカードを収容できる。すなわち、特定のメモリカードがカード収容空間４６に差し込まれると、頂部カバー５８のスプリング付勢フランジ５８ｄが、プレートをカードの上面に当たるまで押し下げる。カードが比較的厚い場合、カードは、スプリング付勢フランジに抗してプレートを上方に付勢できる。カードが比較的薄い場合、スプリング付勢フランジは、プレートをカードに当たるまで効果的に押し下げ、カードの接点を押して、ハウジング３８のベースプレート３８ａに取り付けられた適切な端子と係合する。
【００２３】
図５Ａ及び５Ｂは、カード位置決めプレート４８に矢印「Ｃ」の方向（図５Ａ）で差し込まれたＭＳ型メモリカードを示し、その全体が６０で示されている。完全に差し込まれると、図５Ｂに示すように、カード６０の前縁６０ａが位置決めプレートの第１のストッパ要素５４に係合する。これにより、カードの下側に設けられた接点６１が、図２に最もよく示すように、コネクタハウジング３８のベースプレート３８ａの後部に設けられた第１群の端子４０と係合するための適切な位置に位置決めされる。
【００２４】
図６Ａ及び６Ｂは、カード位置決めプレート４８に矢印「Ｄ」の方向（図６Ａ）で差し込まれたＳＤ型メモリカードを示し、その全体が６２で示されている。完全に差し込まれると、図６Ｂに示すように、カード６２の前縁６２ａが第２のストッパ要素５５に当接する。これにより、カードの下側に設けられた接点６３が、ハウジング３８のベースプレート３８ａに設けられた第２群の端子４２と係合するための適切な位置に位置決めされる。
【００２５】
図７Ａ及び７Ｂは、カード位置決めプレート４８に矢印「Ｅ」の方向（図７Ａ）で差し込まれたＸＤ型メモリカードを示し、その全体が６４で示されている。完全に差し込まれると、カードの前縁６４ａが第３のストッパ要素５６に係合する。これにより、カードの下側に設けられた接点６５が、ハウジング３８のベースプレート３８ａに設けられた第３群の端子４４と係合するための適切な位置に位置決めされる。
【００２６】
ＭＳ型、ＳＤ型、及び、ＸＤ型メモリカードは、産業界で使用されている異なる標準的なメモリカードである。これらのカードは、寸法、構成、及び、端子の数と間隔が相違する。
【００２７】
図８及び９は、本発明の第２実施形態を示し、第一実施形態に関して前述した要素と同一あるいは同様の部品は、可能な範囲で同一の参照符号を付す。第２実施形態のコネクタは、全体を６６で示すカードエジェクタ機構を有しており、このエジェクタ機構は、ハウジング３８の側壁部３８ｂの外側に形成された凹部６８内に摺（しゅう）動可能に取り付けられている。エジェクタ機構は、案内部材６９と、コイルスプリング７０によってばね荷重が加えられたエジェクタ要素、すなわち、スライド部材６７とを有している。案内部材は湾曲したカム溝７１と係合している。枢支ノッチ７２がエジェクタ要素６７の上面に形成されている。カード位置決めプレート４８の一方の枢支ポスト４８ａが枢支ノッチ７２内に位置決めされ、位置決めプレートの反対側の枢支ポストが、ハウジングの側壁部３８ｃの内側に設けられた細長の凹部７３に摺動可能に位置決めされている。案内部材６９の前端部は側壁部３８ｂに固定され、案内部材の反対側の端部はカム溝７１に係入している。案内部材は、カードの挿入とカードの排出のために湾曲したカム溝の二つの部分で移動する。カード位置決めプレート４８の一方の枢支ポスト４８ａは、エジェクタ要素、すなわち、スライド部材６７のノッチ７２内に位置決めされているため、位置決めプレートはエジェクタ要素と一緒に移動する。したがって、本発明の第２の実施形態では、位置決めプレート４８が動作可能なエジェクタプレートとなる。
【００２８】
図１０〜１２を参照すると、カード位置決め／エジェクタプレート４８が、エジェクタ機構６６のエジェクタ要素６７と一緒に摺動可能である。オペレータが、メモリカード６０、６２、６４の内の１枚をカード収容空間４６に差し込むと、メモリカードが、プレート上の対応するストッパ要素５４、５５又は５６に係合し、これにより、プレートを動かし、エジェクタ機構６６のエジェクタ要素６７を後方に摺動させる。カード６０、６２、６４がコネクタ内に完全に差し込まれると、カード位置決めプレート４８上のストッパ要素が、カードの接点を対応する端子群４０、４２、又は、４４と位置合わせする。この動作の間、エジェクタ機構６６の案内部材６９はカム溝７１内で移動し、カードを完全に差し込んだ位置に保持する。ユーザがメモリカードを排出することを望む場合、ユーザはカードをもう一度押す。これにより、コイルスプリング７０が、エジェクタ要素６８、エジェクタプレート４８及びメモリカードをコネクタの外方に向けて後退させる。このような「プッシュ・プッシュ」式のエジェクタ機構は当技術分野で公知であり、カム溝７１は事実上、「ハート型」に構成されている。
【００２９】
図１３は、図２〜４に示した単一のスプリング付勢フランジに対して、一対のスプリング付勢フランジ５８ｂを備えた金属性頂部カバー５８の実施形態を示しているに過ぎない。図１３の両方のスプリング付勢フランジ５８ｂも同様に動作して、カード位置決め／エジェクタプレート４８の前部上面に付勢力で係合する。
【００３０】
図１４及び１５、特に、図１５は、カード位置決め／エジェクタプレート４８が、前側部分７６と後側部分７８とから成る２部構造であることを強調して示している。後側部分はＴ字状の係合部７８ａを備えており、このＴ字状係合部が、前側部分７６のＴ字状の係合ノッチ７６ａと係合する。この相互係合によって、後側部分が前側部分に対して枢動可能に取り付けられる。一方、本発明の前述の実施形態に関連して記載した目的のために、前側部分の両側部に枢支ポスト４８ａが設けられている。枢支ポスト４８ａが第１の枢軸を画定し、係合ノッチ７６ａが、第１の枢軸のすぐ後ろ側の第２の枢軸を画定する。
【００３１】
図１４〜１６の２部構造のカード位置決め／エジェクタプレート４８の場合、メモリカード６０、６２又は６４がコネクタ内に差し込まれたとき、プレートの前側部分４８だけが上方に枢動する。前側部分だけが枢動するため、後側部分は金属製カバー５８の下方の固定位置に維持できる。この結果、プレートの全体的な枢動空間を減少でき、これにより、コネクタの総高さを減少できる。この２部構造のプレートは、図２〜４に示した第１実施形態（すなわち、エジェクタ機構が設けられていない）に用いることもできる。
【００３２】
図１６〜１８は、カード位置決めプレート４８の前縁４８ｂに一対のキーイングスロット、すなわち、カード阻止スロット５２を設けた実施形態を示す。ＭＳ型メモリカード６０の下側には一対のキーイングリブ８０が設けられており、図１８に示す上下逆さまの向き等、間違った向きでメモリカードが差し込まれた場合、キーイングリブ８０がキーイングスロット５２に入り込む。メモリカードがコネクタの収容空間に間違った向きで挿入された場合、キーイングリブ８０が底に達して、キーイングスロット５２の底部に当接し、メモリカードが更に挿入されてコネクタの端子を損傷してしまうことを阻止する。更に、凹部８２のストッパ壁８１がプレート４８の前縁４８ｂに当接し、間違った向きのメモリカードが収容空間に挿入されることを阻止するであろう。カードが正しく挿入された場合には、通常、ストッパ壁８１はカードの下側に存在する。
【００３３】
あるいは、図１９は、絶縁ハウジング３８に、全体を８４及び８５で示すストッパ、すなわち、阻止要素を設け得ることを示しており、ストッパ要素は、突起又はストッパリブ８４ａ及び８５ａをそれぞれ備えている。ＳＤ型メモリカード６２では、図６Ａ及び６Ｂに示したように、その下側の縁にキーイング溝が設けられている。ＸＤ型メモリカード６４では、図７Ａ及び７Ｂに示したように、キーイング溝８７が設けられている。
【００３４】
ＳＤ型メモリカード６２が、間違った向き、すなわち、図２０に示すように上下逆さまで差し込まれた場合、リブ８４ａがカードの前縁に当接して、この間違った向きでカードが差し込まれるのを阻止する。カード６２が正しい向きで差し込まれた場合、溝８６（図６Ａ及び６Ｂ）はリブに係合することなく通過し、カードが完全に挿入されるのを許容する。
【００３５】
同様に、ＸＤ型メモリカード６４が、間違った向き、すなわち、図２１に示すように上下逆さまで差し込まれた場合、リブ８５ａがカードの前縁に当接して、間違った向きでカードがコネクタに差し込まれるのを阻止する。これにより、コネクタの端子が保護される。
【００３６】
図２２及び２３は、図１８に示す構成をわずかに変更したカード位置決め／エジェクタプレート４８の変形例を示す。図２２及び２３では、プレートの一方の前側角部に、突起９１の内側のストッパショルダ部９０の形態で阻止要素が形成されている。ＭＳ型メモリカード６０が、間違った向き、すなわち、図２３に示すように上下逆さまで差し込まれた場合、頑丈な面のストッパショルダ部９０がストッパショルダ部８１に当接して、間違った向きのカードがコネクタ内に差し込まれるのを阻止する。
【００３７】
最後に図２４及び２５を参照すると、ＳＤ型メモリカード６２（図２４）は、案内フランジ９７を画定する両側の縁に沿って延在する溝９６を備えている。カードが正しい向きでコネクタに挿入された場合、案内フランジ９７が、絶縁ハウジング３８の側壁部３８ｂと３８ｃの内側の溝９８内に入り込む。しかし、ＳＤ型メモリカード６２が、間違った向き、すなわち、図２４に示すように上下逆さまで差し込まれた場合、プレート４８上の突起９１がカードの前縁に設けられたリムに当接し、間違った向きでカードが差し込まれるのを阻止する。カードが正しい向きで差し込まれた場合、リムは下方に延在し、カード収容空間の底部に入る。
【００３８】
同様に、図２５を参照すると、ＸＤ型メモリカード６４は、案内リブ１００を形成するために両側の縁に溝９９が形成されている。カードが正しい向きでコネクタに挿入された場合、案内リブ１００が、ハウジングの案内溝９８内に入り込む。しかし、カードが、間違った向き、すなわち、図２５に示すように上下逆さまで差し込まれた場合、プレート４８上の突起９１がカードの前縁に設けられたリムに当接し、間違った向きでカードがコネクタに差し込まれるのを阻止する。
【００３９】
本発明をその精神又は中心的な特徴から逸脱することなく他の特定の形態で実施できることが分るであろう。したがって、本実施例及び実施形態は、すべての点において例示的であり、限定的なものではないと考えなければならず、本発明は、本明細書に示した詳細に限定されない。
【図面の簡単な説明】
【００４０】
【図１】背景技術において記載した従来技術による従来のメモリカードコネクタの斜視図である。
【図２】本発明の第１実施形態によるメモリカードコネクタの上側から見た分解斜視図である。
【図３】第１実施形態の下側から見た分解斜視図である。
【図４】組み立てた状態の図２及び３に示すコネクタの上側から見た斜視図である。
【図５Ａ】ＭＳ型メモリカードに関連したコネクタのカード位置決めプレートの斜視図である。
【図５Ｂ】カード位置決めプレートに差し込まれたＭＳ型メモリカードの斜視図である。
【図６Ａ】図５Ａと同様の図であるが、ＳＤ型メモリカードを示す。
【図６Ｂ】図５Ｂと同様の図であるが、ＳＤ型メモリカードを示す。
【図７Ａ】図５Ａと同様の図であるが、ＸＤ型メモリカードを示す。
【図７Ｂ】図５Ｂと同様の図であるが、ＸＤ型メモリカードを示す。
【図８】図２と同様の図であるが、第２実施形態を示す。
【図９】図３と同様の図であるが、第２実施形態を示す。
【図１０】カバーを取り外し、ＭＳ型メモリカードを挿入した状態の第２実施形態の斜視図である。
【図１１】図１０と同様の図であるが、コネクタにＳＤ型メモリカードを挿入した状態の図である。
【図１２】図１０と同様の図であるが、コネクタにＸＤ型メモリカードを挿入した状態の図である。
【図１３】本発明の第３実施形態による頂部カバーの上側から見た斜視図である。
【図１４】本発明の第２実施形態によるメモリカードコネクタの、カバーを取り外した状態の上側から見た斜視図である。
【図１５】カード位置決めプレートの分解斜視図である。
【図１６】第４実施形態の別の上側から見た斜視図である。
【図１７】ＭＳ型メモリカードを収容した、図１６のカード位置決めプレートの上側から見た斜視図である。
【図１８】図１７と同様の図であるが、プレートが間違った向きでＭＳ型メモリカードを収容した状態を示す。
【図１９】本発明の第１実施形態のハウジングの下側から見た斜視図である。
【図２０】図１９と同様の図であるが、ＭＳ型メモリカードが間違った向きでハウジングに差し込まれた状態を示す。
【図２１】図２０と同様の図であるが、ＸＤ型メモリカードが間違った向きで差し込まれた状態を示す。
【図２２】本発明の第５実施形態によるカード位置決めプレートの上側から見た斜視図である。
【図２３】図２２のカード位置決めプレートを組み入れたメモリカードの斜視図で、ＭＳ型メモリカードを間違った向きで収容した状態を示す。
【図２４】図２３と同様の図であるが、コネクタがＳＤ型メモリカードを間違った向きで収容した状態を示す。
【図２５】図２３と同様の図であるが、コネクタがＸＤ型メモリカードを間違った向きで収容した状態を示す。
【図１】
2005044784.tif 000003
【図２】
2005044784.tif 000004
【図３】
2005044784.tif 000005
【図４】
2005044784.tif 000006
【図５Ａ】
2005044784.tif 000007
【図５Ｂ】
2005044784.tif 000008
【図６Ａ】
2005044784.tif 000009
【図６Ｂ】
2005044784.tif 000010
【図７Ａ】
2005044784.tif 000011
【図７Ｂ】
2005044784.tif 000012
【図８】
2005044784.tif 000013
【図９】
2005044784.tif 000014
【図１０】
2005044784.tif 000015
【図１１】
2005044784.tif 000016
【図１２】
2005044784.tif 000017
【図１３】
2005044784.tif 000018
【図１４】
2005044784.tif 000019
【図１５】
2005044784.tif 000020
【図１６】
2005044784.tif 000021
【図１７】
2005044784.tif 000022
【図１８】
2005044784.tif 000023
【図１９】
2005044784.tif 000024
【図２０】
2005044784.tif 000025
【図２１】
2005044784.tif 000026
【図２２】
2005044784.tif 000027
【図２３】
2005044784.tif 000028
【図２４】
2005044784.tif 000029
【図２５】
2005044784.tif 000030
【外国語明細書】
2005044784000001.pdf
2005044784000002.pdf
2005044784000003.pdf
2005044784000004.pdf